【事件の表示】
　特願２０１７−　６５０３６「エスカレーターの踏段」拒絶査定不服審判事件〔平成３０年１１月　１日出願公開、特開２０１８−１６７９３１、請求項の数（７）〕について、次のとおり審決する。
【結　論】
　原査定を取り消す。
　本願の発明は、特許すべきものとする。
【理　由】
第１　手続の経緯
　本件に係る出願（以下、「本願」という。）は、平成２９年　３月２９日の出願であって、令和　２年　８月１３日付けで拒絶理由通知がされ、同年１０月１９日に意見書及び手続補正書が提出され、同年１２月２２日付けで拒絶査定（以下、「原査定」という。）がされ、これに対し、令和　３年　３月２３日に拒絶査定不服審判の請求がされ、同時に手続補正書が提出され、同年　７月３０日に上申書が提出されたものである。
第２　原査定の概要
　原査定の概要は次のとおりである。
　本願の請求項１、２及び５ないし７に係る発明は、以下の引用文献１ないし８に記載された発明に基いて、その発明の属する技術の分野における通常の知識を有する者（以下、「当業者」という。）が容易に発明できたものであるから、特許法第２９条第２項の規定により特許を受けることができない。
引用文献１：特開昭６１−１１４９９１号公報
引用文献２：特開２００９−２３４７４０号公報
引用文献３：特開２０１２−２１８８３７号公報（周知技術を示す文献）
引用文献４：特開２０１５−０３０６０５号公報（周知技術を示す文献）
引用文献５：中国特許出願公開第１０５３９８９２５号明細書
引用文献６：特開２００４−１４９３０４号公報
引用文献７：特開２０１６−１８５８３４号公報（周知技術を示す文献）
引用文献８：特開２０１２−１６６９３７号公報（周知技術を示す文献）
第３　審判請求時の補正について
１． 審判請求時の補正（以下、「本件補正」という。）について
　本件補正により、特許請求の範囲の記載は、次のとおり補正された（下線部は、補正箇所である。）。
　　【請求項１】
　複数個の踏段を無端状に連結した状態で循環移動するエスカレーターの踏段であって、
　少なくとも一部の前記踏段は、利用者が乗る踏板であって、左右方向に並んでそれぞれ進行方向に沿って形成された複数の踏板クリート溝を有する踏板と、前記踏板の進行方向一端に連結された立ち上がり部であるライザーと、前記踏板クリート溝に配置された警告表示部と、前記踏段に取り付けられた電池とを含み、
　前記踏板は、踏板本体と、前記踏板本体の左右方向端部にねじ止めによって固定され、樹脂により形成されたデマケーションクリートとを有し、
　前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起し、
　前記警告表示部が配置される前記左右方向端部の前記踏板クリート溝は、前記デマケーションクリートに形成された溝で
あり、
　
前記警告表示部が配置される前記デマケーションクリートに形成された溝には貫通孔が形成され、前記貫通孔と、前記基板とに貫通したねじが、前記踏板本体に形成されたねじ孔に結合されることにより、前記デマケーションクリートと前記基板とが前記踏板本体に固定される、
エスカレーターの踏段。
　　【請求項２】
　
請求項１
　前記ライザーは、左右方向に並んでそれぞれ立ち上がり方向に沿って形成された複数のライザークリート溝を有し、
　前記電池は、左右方向端部の前記ライザークリート溝に嵌め込まれる、エスカレーターの踏段。
　　【請求項３】
　
請求項２
　前記電池は、長尺薄板状の太陽電池である、エスカレーターの踏段。
　　【請求項４】
　請求項１から
請求項３
　前記複数のライト部は、前記基板の上部に直線状に並んで取り付けられる、エスカレーターの踏段。
　　【請求項５】
　
請求項４
　前記警告表示部は、前記複数のライト部を、同時に、または時間的に異なって点滅させるように構成される、エスカレーターの踏段。
　　【請求項６】
　複数個の踏段を無端状に連結した状態で循環移動するエスカレーターの踏段であって、
　少なくとも一部の前記踏段は、利用者が乗る踏板であって、左右方向に並んでそれぞれ進行方向に沿って形成された複数の踏板クリート溝を有する踏板と、前記踏板の進行方向一端に連結された立ち上がり部であるライザーと、前記踏板クリート溝に配置された警告表示部と、前記踏段に取り付けられた電池とを含み、
　前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起し、
　前記ライザーは、左右方向に並んでそれぞれ立ち上がり方向に沿って形成された複数のライザークリート溝を有し、
　前記電池は、左右方向端部の前記ライザークリート溝に嵌め込まれる、エスカレーターの踏段。
　　【請求項７】
　
請求項６
　前記電池は、長尺薄板状の太陽電池である、エスカレーターの踏段。
２．本件補正前の特許請求の範囲 
　本件補正前の特許請求の範囲の記載は、令和　２年１０月１９日に手続補正された特許請求の範囲の記載によって特定される次のとおりである。
　　【請求項１】
　複数個の踏段を無端状に連結した状態で循環移動するエスカレーターの踏段であって、
　少なくとも一部の前記踏段は、利用者が乗る踏板であって、左右方向に並んでそれぞれ進行方向に沿って形成された複数の踏板クリート溝を有する踏板と、前記踏板の進行方向一端に連結された立ち上がり部であるライザーと、前記踏板クリート溝に配置された警告表示部と、前記踏段に取り付けられた電池とを含み、
　前記踏板は、踏板本体と、前記踏板本体の左右方向端部にねじ止めによって固定され、樹脂により形成されたデマケーションクリートとを有し、
　前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起し、
　前記警告表示部が配置される前記左右方向端部の前記踏板クリート溝は、前記デマケーションクリートに形成された溝である、エスカレーターの踏段。
　　【請求項２】
　請求項１に記載のエスカレーターの踏段において、
　前記警告表示部が配置される前記デマケーションクリートに形成された溝には、貫通孔が形成され、前記貫通孔に貫通したねじにより、前記デマケーションクリートが前記踏板本体に固定されると共に、前記基板が前記デマケーションクリートに固定される、エスカレーターの踏段。
　　【請求項３】
　請求項１または請求項２に記載のエスカレーターの踏段において、
　前記ライザーは、左右方向に並んでそれぞれ立ち上がり方向に沿って形成された複数のライザークリート溝を有し、
　前記電池は、左右方向端部の前記ライザークリート溝に嵌め込まれる、エスカレーターの踏段。
　　【請求項４】
　請求項３に記載のエスカレーターの踏段において、
　前記電池は、長尺薄板状の太陽電池である、エスカレーターの踏段。
　　【請求項５】
　請求項１に記載のエスカレーターの踏段において、
　前記警告表示部の前記基板は、前記踏板クリート溝の底部にねじ止めまたは両面テープにより固定される、エスカレーターの踏段。
　　【請求項６】
　請求項１から請求項５のいずれか１に記載のエスカレーターの踏段において、
　前記複数のライト部は、前記基板の上部に直線状に並んで取り付けられる，エスカレーターの踏段。
　　【請求項７】
　請求項６に記載のエスカレーターの踏段において、
　前記警告表示部は、前記複数のライト部を、同時に、または時間的に異なって点滅させるように構成される、エスカレーターの踏段。
　　【請求項８】
　複数個の踏段を無端状に連結した状態で循環移動するエスカレーターの踏段であって、
　少なくとも一部の前記踏段は、利用者が乗る踏板であって、左右方向に並んでそれぞれ進行方向に沿って形成された複数の踏板クリート溝を有する踏板と、前記踏板の進行方向一端に連結された立ち上がり部であるライザーと、前記踏板クリート溝に配置された警告表示部と、前記踏段に取り付けられた電池とを含み、
　前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起し、
　前記ライザーは、左右方向に並んでそれぞれ立ち上がり方向に沿って形成された複数のライザークリート溝を有し、
　前記電池は、左右方向端部の前記ライザークリート溝に嵌め込まれる、エスカレーターの踏段。
　　【請求項９】
　請求項８に記載のエスカレーターの踏段において、
　前記電池は、長尺薄板状の太陽電池である、エスカレーターの踏段。
３．本件補正の適否
　本件補正は、請求項１に関し、その「デマケーションクリート」と「基板」と「踏板本体」について、「
前記警告表示部が配置される前記デマケーションクリートに形成された溝には貫通孔が形成され、前記貫通孔と、前記基板とに貫通したねじが、前記踏板本体に形成されたねじ孔に結合されることにより、前記デマケーションクリートと前記基板とが前記踏板本体に固定される
　そして、当該「デマケーションクリート」と「基板」と「踏板本体」についての構成は、願書に最初に添付した明細書の段落【００２６】に、「警告表示部４１は、左右方向端部の踏板クリート溝３４に嵌め込んで固定される。このとき、デマケーションクリート３７の貫通孔（図示せず）と、警告表示部４１の基板４３の孔４４とにねじ４５（図３）が貫通する。そして、そのねじ４５が、デマケーションクリート３７を踏板本体３３ａに固定するための踏板本体３３ａのねじ孔（図示せず）に結合される。これにより、基板４３は、踏板クリート溝３４の底部にネジ止めにより固定される。」と記載されているから、願書に最初に添付した明細書、特許請求の範囲又は図面に記載した事項の範囲内においてするものであって、特許法第１７条の２第３項の規定に適合するものである。
　さらに、本件補正は、本件補正前の請求項２及び５を削除するとともに、当該請求項の削除に伴って補正後の請求項の引用関係を整理したものであるから、特許法第１７条の２第５項第１号及び第２号に規定する請求項の削除及び特許請求の範囲の限定的減縮を目的とするものであり、かつ、願書に最初に添付した明細書、特許請求の範囲又は図面に記載した事項の範囲内においてするものであることが明らかであるから、特許法第１７条の２第３項の規定に適合するものである。
　ここで、補正後の請求項１ないし５に係る発明は、特許法第１７条の２第６項で準用する同法第１２６条第７項の規定により、特許出願の際独立して特許を受けることができるものでなければならないので、以下、検討する。
４．独立特許要件について
４−１　本願発明１ないし７について
　本願の請求項１ないし７に係る発明（以下、「本願発明１」ないし「本願発明７」という。）は、本件補正により補正された特許請求の範囲の請求項１ないし７に記載された事項により特定される、上記第３の１．のとおりである。
４−２　引用文献に記載された事項及び引用発明
（１）引用文献１に記載された事項及び引用発明について
　引用文献１には、図面とともに、以下の事項が記載されている（下線は審決で付した。以下同様。）。
ア　「６．特許請求の範囲第２項において、前記
縦方向の荷重検出器の動作により、前記表示灯が点灯する
イ　「従来、
マンコンベアのステップと枠体（スカートガード）の隙間に衣服、靴先などがはさみこまれる危険性を防止するため、ステップの左右両端部を高分子材料として危害を少なくしたり、・・・
ウ　「〔発明の実施例〕
　以下、本発明の一実施例について、マンコンベアの一例であるエスカレータについて説明する。
　第１図はエスカレータ側面の全体構造を示し、１，２は上下に設けられた鎖車で、これに左右各一本の無端状のチエーン３が巻掛けられており、このチエーン３にはステツプ４が一定ピツチで連続的に取付けられている。上部の鎖車２には駆動機５の小鎖車６との間に駆動チエーンが巻掛けられ、この駆動機５の動力を伝達することにより鎖車１，２を介して
ステツプ４が連続的に回動する
　次に、第２図はステツプの斜視図で
ステツプ４は、
クリート２０により構成され、ステツプの前方，側方には発光ランプ１５を設けている。さらに、ステツプの左右端部には、縦方向荷重検出器１６
を設け、
多数設けられたステップ４の数個には、電源部（蓄電池内蔵）１３
を組込み、エンドレスに設けたステツプ４
　第３図は第２図のIII−III矢視断面図である。
ステツプ４の左右両側のクリート２１は中央部（人が乗るところ）のクリート２０より少し高くし、ねじ２２により取付けている。
　第４図、第５図は電気回路のブロツク図で、
乗客が危険地帯であるクリート２１の上に乗ると、縦方向荷重検出器１６が動作し、電源部１３
により危険を知らせる。
発光ランプ１５を点灯し、警告をする
エ　「〔発明の効果〕
　本発明によれば、電気的な安全装置とすることができるので、乗客に対する指導，安全性がより向上する。」（３頁左上欄１０ないし１３行）
オ　「第１図
　　　　　　　　　　　　　　　　　　　　　」
カ　「第２図
　　　　　　　　　　　　　　　　　　　　　　」
キ　「第３図
　　　　　　　　　　　　　　　　　　　　　　」
ク　「第４図
　　　　　　　　　　　　　　　　　　　　　　」
ケ　上記第２図及び第３図並びにエスカレータの技術常識から、クリート２０及び左右両側のクリート２１は左右方向に並んでそれぞれ進行方向に沿って形成された複数の溝を備えることが看取できる。
コ　上記第２図及びエスカレータの技術常識から、ステツプ４はクリート２０及び左右両側のクリート２１の進行方向一端に連結された立ち上がり部であるライザーを備え、当該ライザーは左右方向に並んでそれぞれ立ち上がり方向に沿って形成された複数のライザークリート溝を備えることが看取できる。
サ　上記摘記事項ウ及び上記第２図ないし第４図から、発光ランプ１５の表示灯は、前方と側方のクリート２０の溝に設けられ、前記電源部１３により電力が供給される複数の発光ランプ１５を有することが看取できる。
シ　上記摘記事項ウ並びに上記第２図及び第３図から、左右両側のクリート２１に形成された溝には貫通孔が形成され、前記貫通孔を貫通したねじ２２が、前記クリート２０に形成されたねじ孔に結合されて、左右両側のクリート２１は、クリート２０の左右両側の端部に、ねじ２２によって取付けられることが看取できる。
　上記摘記事項ア〜ク及び認定事項ケ〜シから、引用文献１には、次の発明が記載されているものといえる（以下、「引用発明」という。）。
（引用発明）
「多数のステツプ４をエンドレスに設けて連続的に回動するエスカレータのステツプ４であって、
　数個の前記ステツプ４は、左右方向に並んでそれぞれ進行方向に沿って形成された複数の溝を備える乗客が乗るクリート２０及び左右両側のクリート２１と、左右方向に並んでそれぞれ立ち上がり方向に沿って形成された複数のライザークリート溝を備えた、クリート２０及び左右両側のクリート２１の進行方向一端に連結された立ち上がり部であるライザーと、前記クリート２０の溝に設けられた警告のための発光ランプ１５の表示灯と、前記ステツプ４に組み込まれた電源部１３とを備え、
　前記左右両側のクリート２１に形成された溝には貫通孔が形成され、前記貫通孔を貫通したねじ２２が、前記クリート２０に形成されたねじ孔に結合されて、前記左右両側のクリート２１は前記クリート２０の左右両側の端部にねじ２２によって取付けられ、
　前記警告のための発光ランプ１５の表示灯は、前方と側方の前記クリート２０の溝に設けられ、前記電源部１３により電力が供給される複数の発光ランプ１５を有し、クリート２０と左右両側のクリート２１との間に配置した縦方向荷重検出器１６が動作して前記複数の発光ランプ１５の点灯によって乗客に警告する、
エスカレータのステツプ４。」
（２）引用文献２に記載された事項について
　引用文献２には、以下の事項が記載されている。
ア　「【０００６】
　この発明は、踏板、踏板の両端を支持する一対の踏段ブラケット、及び踏段ブラケットに装着された車輪を備え、車輪を乗り口と降り口との間に配設された無端状の踏段レール上を転動させて乗り口と降り口との間を循環走行する
乗客コンベアの踏段の照明装置において
踏板にあけられた照射窓から踏板の踏面を照射する照明手段
イ　「【００２１】
　次いで、照明装置４０の詳細について説明する。
　図２〜図５において、照明装置４０は、照明カバー４１と、圧電センサ４５と、一方の追従輪軸３０ａに取り付けられた発電機４２と、それぞれ
踏板２２の裏面に固定された
照明手段としてのＬＥＤモジュール４７
【００２２】
　そして、照明カバー４１は透光性を有する樹脂により形成され、照射窓２６に隙間なく嵌めこまれている。また、
発光ダイオードモジュール４７（ＬＥＤモジュール４７）
ＬＥＤモジュール４７は、図５に示されるように、並列に接続された複数のＬＥＤ４８を有し
ＬＥＤ４８のそれぞれが発光（点灯）する
ウ　「【図２】
　　　　　　　　　　　　　　　　　　」
エ　「【図３】
　　　　　　　　　　　　　　　　　　」
（３）引用文献３に記載された事項について
　引用文献３には、以下の事項が記載されている。
　「【００２０】
上記のように、主光源配列１１、１２の先端部に配置される一対の主棒状光源９、９に対して、それらの背後に副棒状光源１３を配置し、光の進行方向に対して前後２列の光源を用いることで、照明対象の踏段（図示せず。）から各光源９、１３までの距離は異なるものになる。そのため、前後の光源の明るさに差が発生し、照度むらによる違和感の原因となることが考えられる。この問題に対しては、後列の副棒状光源１２から発せられ、拡散する光を、前列の主棒状光源９、９まで誘導するカバー３１を設ける。このカバー３１は断面がコ字型のステンレスなどの金属素材を用い、その内面を光反射率の高い鏡面仕上げするか、または内面に光反射率の高くなる塗装を施すことが望ましい。このような断面がコ字型のカバー３１の長手方向の両端において、一対の
主棒状光源９、９のＬ字型の保持具２１の端部をネジ止めなどにより固定
【００２１】
　副棒状光源１３にこのようなカバー３１を設けることにより、後列の副棒状光源１２から発せられた光を外部に拡散することなく、前方へと誘導することができる。また、このような構成の照明装置においては、一対の主棒状光源９、９のＬ字型保持具２１の副棒状光源１３のカバー３１への
ネジ止めなどによる固定
（４）引用文献４に記載された事項について
　引用文献４には、以下の事項が記載されている。
　「【００２０】
　照明カバー３の内面部３ａに対する
面状発光体４の固定は
両面テープを用いて固定
ビス等によって固定
（５）引用文献５に記載された事項について
　引用文献５には、以下の事項が記載されている。
「
（審決翻訳）　そして、上記のＬＥＤライト装置１１０は踏段本体１０１の上面周辺にＬＥＤライトを設けることとし、且つＬＥＤライト装置（設置は誤記と認める。以下同様。）１１０は赤緑両色ライトとする。ＬＥＤライトをインテリジェントな踏段１００の上面周辺に設け、ＬＥＤライトの明かりをつける時は、インテリジェントな踏段１００の周囲を全て照らすことができて、提示効果は明らかでありかつ外形は同じくとても美しい。また、ＬＥＤライト装置１１０が赤緑両色ＬＥＤライトであるために、異常事態、あるいは故障が発生した時、
赤色ライトの明かりをつけるか、あるいは赤緑両色の明かりを明滅して提示し
（６）引用文献６に記載された事項について
　引用文献６には、以下の事項が記載されている。
ア　「【００１３】
図１（ａ）において、
１１ａ，１１ｂ，１１ｃは３個の踏段であり、その外縁に近い位置に
溝１２が設けられその中に各々注意灯１２ａ，１２ｂ，１２ｃが設けられている
イ　「【００１８】
なお上記実施形態では、注意灯１２ａ，１２ｂ，１２ｃ，１４ａ，１４ｂはすべて点灯するものとしたが、
注意灯１２ａ，１２ｂ，１２ｃのみを点灯させ
注意灯１４ａ，１４ｂのみを点灯させ
一部を点滅させる
【００１９】
なお、各踏段に設けた
注意灯は同時に点滅させるだけでなく、オンオフの時点を順次変えて点滅させるようにすることもできる
（７）引用文献７に記載された事項について
　引用文献７には、以下の事項が記載されている。
　「【００２０】
　図３は、エスカレータ１０の１つの踏段３０を示す斜視図である。図４は、マイクロスイッチ４２が上側踏段３０により押される状態を示している図３のＡ−Ａ断面対応図である。踏段３０は、利用者が乗降可能な略矩形状の踏板３３と、踏板３３の進行方向（図３の左右方向）一方側（図３の右側）の端部に略直角に結合されたライザー３４とを有する。踏板３３は、金属製の踏板本体３３ａと、踏板本体３３ａの左右両端部、及びライザー３４とは反対側の端部に固定された複数の
樹脂製のデマケーションクリート３３ｂ、３３ｃ
（８）引用文献８に記載された事項について
　引用文献８には、以下の事項が記載されている。
　「【００２１】
　また、図２に示すように、踏板３０上のライザー３２と反対側の長辺部には、黄色等の目立つ色が付された注意喚起部であるデマケーションコム４０が設けられている。また、踏板３０は、鉄、アルミニウム合金等の金属により構成される踏板本体４２と、踏板本体４２の左右両端部上にねじ等で固定された
樹脂製のデマケーションクリート（以下、「デマクリート」という。）４４
４−３　対比・判断
（１）本願発明１について
ア　対比
　引用発明の「ステツプ４」、「多数のステツプ４」及び「数個の前記ステツプ４」は、それぞれ本願発明１の「踏段」、「複数個の踏段」及び「数個の前記踏段」に相当する。そして、引用発明の「多数のステツプ４をエンドレスに設けて連続的に回動するエスカレータ」及び「エスカレータ」は、それぞれ本願発明１の「複数個の踏段を無端状に連結した状態で循環移動するエスカレーター」及び「エスカレーター」に相当する。
　また、引用発明の「乗客」は、本願発明１の「利用者」に相当し、引用発明の「乗客が乗るクリート２０及び左右両側のクリート２１」は、本願発明１の「利用者が乗る踏板」に相当する。そして、引用発明の「乗客が乗るクリート２０及び左右両側のクリート２１」が「備える」「左右方向に並んでそれぞれ進行方向に沿って形成された複数の溝」は、本願発明１の「踏板」が「有する」「左右方向に並んでそれぞれ進行方向に沿って形成された複数の踏板クリート溝」に相当する。
　さらに、引用発明の「左右方向に並んでそれぞれ立ち上がり方向に沿って形成された複数のライザークリート溝を備えたクリート２０及び左右両側のクリート２１の進行方向一端に連結された立ち上がり部であるライザー」は、本願発明１の「踏板の進行方向一端に連結された立ち上がり部であるライザー」に相当する。
　また、引用発明の「クリート２０の溝に設けられた」「警告のための発光ランプ１５の表示灯」は、本願発明１の「踏板クリート溝に配置された」「警告表示部」に相当する。
　さらに、引用発明の「ステツプ４に組み込まれた電源部１３とを備え」るとの態様は、本願発明１の「踏段に取り付けられた電池とを含み」との態様に相当する。
　そして、引用発明の「クリート２０」及び「左右両側のクリート２１」は、それぞれ本願発明１の「踏板本体」及び「デマケーションクリート」に相当し、引用発明の「クリート２０の左右両側の端部にねじ２２によって取付けられ」る態様は本願発明１の「踏板本体の左右方向端部にねじ止めによって固定され」る態様に相当するから、結局、本願発明１の「前記踏板は、踏板本体と、前記踏板本体の左右方向端部にねじ止めによって固定され、樹脂により形成されたデマケーションクリートとを有し」との態様と、引用発明の「前記左右両側のクリート２１は前記クリート２０の左右両側の端部にねじ２２によって取付けられ」との態様とは、「前記踏板は、踏板本体と、前記踏板本体の左右方向端部にねじ止めによって固定されたデマケーションクリートとを有し」との態様の限りにおいて一致する。
　また同様に、引用発明の「ねじ２２」は本願発明１の「ねじ」に相当するから、本願発明１の「前記デマケーションクリートに形成された溝には貫通孔が形成され、前記貫通孔と、前記基板とに貫通したねじが、前記踏板本体に形成されたねじ孔に結合されることにより、前記デマケーションクリートと前記基板とが前記踏板本体に固定される」態様と、引用発明の「前記左右両側のクリート２１に形成された溝には貫通孔が形成され、前記貫通孔を貫通したねじ２２が、前記クリート２０に形成されたねじ孔に結合されて、前記左右両側のクリート２１は前記クリート２０の左右両側の端部にねじ２２によって取付けられ」る態様とは、「前記デマケーションクリートに形成された溝には貫通孔が形成され、前記貫通孔に貫通したねじが、前記踏板本体に形成されたねじ孔に結合されることにより、前記デマケーションクリートが前記踏板本体に固定される」態様の限りにおいて一致する。
　そして、引用発明の「クリート２０の溝」は本願発明１の「踏板クリート溝」に相当する。また、引用発明の「発光ランプ１５」、「点灯」及び「警告」はそれぞれ本願発明１の「ライト部」、「点灯または点滅」及び「注意を喚起」に相当する。さらに、本願発明１の「左右方向端部の踏板クリート溝」と引用発明の「前方と側方の前記クリート２０の溝」とは、「側方の前記踏板クリート溝」の限りにおいて一致する。そうすると、結局、本願発明１の「前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起し」との態様と引用発明の「前記警告のための発光ランプ１５の表示灯は、前方と側方の前記クリート２０の溝に設けられ、前記電源部１３により電力が供給される複数の発光ランプ１５を有し、クリート２０と左右両側のクリート２１との間に配置した縦方向荷重検出器１６が動作して前記複数の発光ランプ１５の点灯によって乗客に警告する」態様とは、「前記警告表示部は、側方の前記踏板クリート溝に取り付けられ、前記電池により電力が供給される複数のライト部とを有し、前記複数のライト部の点灯または点滅によって利用者に注意を喚起し」との態様の限りにおいて一致する。
　してみると、本願発明１と引用発明とは、両者が
「複数個の踏段を無端状に連結した状態で循環移動するエスカレーター踏段であって、
　少なくとも一部の前記踏段は、利用者が乗る踏板であって、左右方向に並んでそれぞれ進行方向に沿って形成された複数の踏板クリート溝を有する踏板と、前記踏板の進行方向一端に連結された立ち上がり部であるライザーと、前記踏板クリート溝に配置された警告表示部と、前記踏段に取り付けられた電池とを含み、
　前記踏板は、踏板本体と、前記踏板本体の左右方向端部にねじ止めによって固定されたデマケーションクリートを有し、
　前記警告表示部は、側方の前記踏板クリート溝に取り付けられ、前記電池により電力が供給される複数のライト部を有し、前記複数のライト部の点灯または点滅によって利用者に注意を喚起し、
　前記デマケーションクリートに形成された溝には貫通孔が形成され、前記貫通孔に貫通したねじが、前記踏板本体に形成されたねじ孔に結合されることにより、前記デマケーションクリートが前記踏板本体に固定される、
エスカレーターの踏段。」
である点で一致し、次の点で相違する。
（相違点）
（相違点１）
　「デマケーションクリート」の材質に関し、本願発明１は「樹脂により形成された」ものであるのに対し、引用発明では不明である点。
（相違点２）
　「警告表示部」に関し、本願発明１は、配置されるのが「左右方向端部の前記踏板クリート溝」であって「デマケーションクリートに形成された溝」であり、構成が「左右方向端部の前記踏板クリート溝に嵌め込まれた長尺薄板状の基板と、前記基板の上部に取り付けられ」た複数の「ライト部」であり、踏板本体への固定が、「デマケーションクリートに形成された溝には貫通孔が形成され、前記貫通孔と、前記基板とに貫通したねじが、前記踏板本体に形成されたねじ孔に結合され」「デマケーションクリートと前記基板とが前記踏板本体に固定される」のに対して、本願発明１では、配置されるのが「側方の前記クリート２０の溝」であって、「発光ランプ１５」を有することを除き基板の有無等の構成が不明であり、クリート２０への固定がどのようになされるのか不明な点。
イ　判断
　上記相違点について検討する。
（相違点１）について
　上記４−２の（７）及び（８）に記載のとおり、引用文献７及び引用文献８に「樹脂製のデマケーションクリート」が開示されていることからすれば、エスカレーターの技術分野において「デマケーションクリート」を「樹脂により形成された」ものとすることは、周知技術といえるところ、上記４−２の（１）のイに記載のとおり、引用文献１には「マンコンベアの」「ステップの左右両端部を高分子材料と」することが記載され、引用発明における「左右両側のクリート２１」を「樹脂により形成された」ものとすることが示唆されているといえるから、引用発明をして上記相違点１に係る本願発明１の構成とすることは、当業者が容易に想到し得たことである。
（相違点２）について
　エスカレーターの踏段において、その「警告表示部」に関し、「左右方向端部の前記踏板クリート溝」であって「デマケーションクリートに形成された溝」に配置し、「左右方向端部の前記踏板クリート溝に嵌め込まれた長尺薄板状の基板と、前記基板の上部に取り付けられ」た複数の「ライト部」として、「デマケーションクリートに形成された溝には貫通孔が形成され、前記貫通孔と、前記基板とに貫通したねじが、前記踏板本体に形成されたねじ孔に結合され」「デマケーションクリートと前記基板とが前記踏板本体に固定される」との構成は、引用文献１ないし８のいずれにも開示ないし示唆されていない。
　また、技術常識を参酌しても、エスカレーターの踏段において上記相違点２に係る本願発明１の構成とすることが、当業者にとって容易であったということはできない。
　そして、本願明細書の段落【００２３】に「警告表示装置４０は、警告表示部４１と、警告表示部４１にケーブル４６で接続された電池としての太陽電池５０とを含む。」と記載されているところ、本願発明１は上記相違点２に係る本願発明１の構成を備えることで、同段落【００３０】に記載された「既存の踏段に警告表示装置４０を容易に取り付けることができるので、既存の踏段から簡易に実現でき」るとの効果を奏するといえる。
　してみると、本願発明１は、引用発明に基いて当業者が容易に発明をすることができた発明ではないから、特許法第２９条第２項の規定により特許を受けることができない発明ではない。
（２）本願発明２ないし５について
　本願発明２ないし５は、上記相違点２に係る本願発明１の構成を含む、「前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起し、前記警告表示部が配置される前記左右方向端部の前記踏板クリート溝は、前記デマケーションクリートに形成された溝であり、前記警告表示部が配置される前記デマケーションクリートに形成された溝には貫通孔が形成され、前記貫通孔と、前記基板とに貫通したねじが、前記踏板本体に形成されたねじ孔に結合されることにより、前記デマケーションクリートと前記基板とが前記踏板本体に固定される」構成と同一の構成を備えるものであるから、本願発明１と同じ理由により、当業者であっても、引用発明に基いて容易に発明をすることができたものとはいえない。
５．小括
　以上のとおりであるから、本願発明１ないし５は、特許法第２９条第２項の規定により特許を受けることができない発明ではなく、その他の拒絶理由も発見できないから、特許出願の際独立して特許を受けることができる発明であるので、特許法第１７条の２第６項で準用する同法第１２６条第７項の規定に適合する。
第４　原査定について
　審判請求時の補正により、本願発明１ないし５は、「前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起し、前記警告表示部が配置される前記左右方向端部の前記踏板クリート溝は、前記デマケーションクリートに形成された溝であり、前記警告表示部が配置される前記デマケーションクリートに形成された溝には貫通孔が形成され、前記貫通孔と、前記基板とに貫通したねじが、前記踏板本体に形成されたねじ孔に結合されることにより、前記デマケーションクリートと前記基板とが前記踏板本体に固定される」という発明特定事項を備えるものとなっており、それぞれ当業者であっても、拒絶査定において引用された引用発明に基いて、容易に発明をすることができたものとはいえない。
　したがって、原査定の理由を維持することはできない。
　なお、本願発明６及び７については、原査定において拒絶の理由を発見しない発明であるところ、以下のとおりである。
１　引用文献に記載された事項及び引用発明
　引用文献１に記載された事項及び引用発明並びに引用文献２ないし８に記載された事項については、第３の４．の４−２の（１）ないし（８）のとおりである。
２　対比・判断
（１）本願発明６について
ア　対比
　第３の４．の４−３の「（１）本願発明１について」の「ア　対比」において述べたことを考慮すると、さらに、引用発明の「左右方向に並んでそれぞれ立ち上がり方向に沿って形成された複数のライザークリート溝を備えた」「ライザー」は、本願発明６の「前記ライザーは、左右方向に並んでそれぞれ立ち上がり方向に沿って形成された複数のライザークリート溝を有」する態様に相当する。
　してみると、本願発明６と引用発明とは、両者が
「複数個の踏段を無端状に連結した状態で循環移動するエスカレーターの踏段であって、
　少なくとも一部の前記踏段は、利用者が乗る踏板であって、左右方向に並んでそれぞれ進行方向に沿って形成された複数の踏板クリート溝を有する踏板と、前記踏板の進行方向一端に連結された立ち上がり部であるライザーと、前記踏板クリート溝に配置された警告表示部と、前記踏段に取り付けられた電池とを含み、
　前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起し、
　前記ライザーは、左右方向に並んでそれぞれ立ち上がり方向に沿って形成された複数のライザークリート溝を有する、
　エスカレーターの踏段。」
である点で一致し、次の点で相違する。
（相違点）
（相違点３）
本願発明６は「前記電池は、左右方向端部の前記ライザークリート溝に嵌め込まれる」ものであるのに対し、引用発明ではそのような特定がなされていない点。
イ　判断
　上記相違点について検討する。
（相違点３）について
　エスカレーターの踏段において、「電池は、左右方向端部の前記ライザークリート溝に嵌め込まれる」との構成は、引用文献１ないし８のいずれにも開示ないし示唆されていない。
　また、技術常識を参酌しても、エスカレーターの踏段において上記相違点３に係る本願発明６の構成とすることが、当業者にとって容易であったということはできない。
　そして、本願明細書の段落【００２３】に「警告表示装置４０は、警告表示部４１と、警告表示部４１にケーブル４６で接続された電池としての太陽電池５０とを含む。」と記載されているところ、本願発明６は上記相違点３に係る本願発明６の構成を備えることで、同段落【００３０】に記載された「既存の踏段に警告表示装置４０を容易に取り付けることができるので、既存の踏段から簡易に実現でき」るとの効果を奏するといえる。
　してみると、本願発明６は、引用発明に基いて当業者が容易に発明をすることができた発明ではないから、特許法第２９条第２項の規定により特許を受けることができない発明ではない。
（２）本願発明７について
　本願発明７は、上記相違点３に係る本願発明６の「前記電池は、左右方向端部の前記ライザークリート溝に嵌め込まれる」構成と同一の構成を備えるものであるから、本願発明６と同じ理由により、当業者であっても、引用発明に基いて容易に発明をすることができたものとはいえない。
３　小括
　したがって、審判請求時の補正により、本願発明６及び７は、「前記電池は、左右方向端部の前記ライザークリート溝に嵌め込まれる」という発明特定事項を備えるものとなっており、それぞれ当業者であっても、拒絶査定において引用された引用発明に基いて、容易に発明をすることができたものとはいえない。
第５　むすび
　以上のとおり、原査定の理由によっては、本願を拒絶することはできない。
　また、他に本願を拒絶すべき理由を発見しない。
　よって、結論のとおり審決する。